(57)【特許請求の範囲】
【請求項１】
被覆体を案内ロープの端部に連結して案内ロープとともに被覆体を、傾斜したハウス骨組と固定ロープとの間に案内して通す先細先端部のロープ通し穴と中空部を有する中空錐形の被覆体案内通し具および該被覆体案内通し具により案内される被覆体を更に案内する１本の本体と、その上端の水平方向最上部ハウス骨組に掛け止めする下側向きのほぼ横倒Ｕ字形に開口した第１掛け止めフックと該本体の下端の傾斜したハウス骨組の上部上側に掛け止めする本体の前方向に突出した逆Ｕ字形に開口した第２掛け止めフックと、本体の下端部で第２掛け止めフックより上方の位置に上方向に突出して設けたローラーとからなるローラー付き案内具を備えたことを特徴とするハウス骨組の被覆体案内装置。
【請求項２】
前記被覆体案内通し具が、台形をした合成樹脂フイルムの１方の斜辺に１方の止め具を設けるとともに他方の斜辺に他方の止め具を設けて、双方の止め具を着脱自在に仮着してなるものである、請求項１のハウス骨組の被覆体案内装置。
【請求項３】
前記ローラー付き案内具が、本体の周囲にもローラーを設けてなるものである、請求項１のハウス骨組の被覆体案内装置。
【発明の詳細な説明】
【０００１】
【発明の属する技術分野】
この発明は農作物などに使用するハウス骨組の上にビニールシート，布，ネットなどの被覆体を被覆する時に、被覆体をハウス骨組の上に案内するための案内装置に係わるものである。
【０００２】
【従来の技術】
従来は、長さが５０ｍ以上と長いハウス骨組の上に所定の間隔をおいて設けた多数本の固定用ロープを緩めた状態に設けて、このハウス骨組と固定用ロープとの間に長くて重い被覆体、例えばビニールシートを１か所ずつ手で通して引張って通している。
【０００３】
【発明が解決しようとする課題】
この従来のハウス骨組と固定用ロープとの間に長くて重い被覆体、例えばビニールシートを１か所ずつ手で通す時に、作業者の足場はハウス骨組の細い１本のパイプであるために作業者が足場のパイプから転落するおそれがあるという問題点があったし、作業者が長くて重いビニールシートを手で引きながら足場の悪い細いパイプの上でビニールシートの嵩張った先端が骨組のパイプや固定用ロープに引掛かって引張ることができない際に１方の手で引掛かったビニールシートの先端を手で直しながら、他方の手で引張ることは行いにくく、重労働であるという問題点とともに骨組と固定用ロープとの間に長くて重いビニールシートの束を通すのに長時間かかるという問題点があった。更に長くて重いビニールシートを手で引張っている際にビニールシートの裏表が逆になってしまうことがあるという問題点があった。
【０００４】
この発明は従来のハウス骨組と固定用ロープとの間に被覆体を通す際に有するこれらの問題点を解消し、長くて重い被覆体をこの骨組とロープとの間に通す際に被覆体を容易でかつ安全で円滑に通すことや長くて重い被覆体をこの骨組とロープとの間に通す労力を軽減すること、長くて重い被覆体をこの骨組とロープとの間に通す時間を短縮すること、長くて重い被覆体をこの骨組とロープとの間に通す際に被覆体が常に表側になるようにすることなどを目的としたものでてある。
【０００５】
【問題を解決するための手段】
この発明のハウス骨組の被覆体案内装置は、被覆体を案内ロープの端部に連結して案内ロープとともに被覆体を、傾斜したハウス骨組と固定ロープとの間に案内して通す先細先端部のロープ通し穴と中空部を有する中空錐形の被覆体案内通し具およびこの被覆体案内通し具により案内される被覆体を更に案内する１本の本体と、その上端の水平方向最上部ハウス骨組に掛け止めする下側向きのほぼ横倒Ｕ字形に開口した第１掛け止めフックとこの本体の下端の傾斜したハウス骨組の上部上側に掛け止めする本体の前方向に突出した逆Ｕ字形に開口した第２掛け止めフックと、本体の下端部で第２掛け止めフックより上方の位置に上方向に突出して設けたローラーとからなるローラー付き案内具を備えたものである。
【０００６】
この発明のハウス骨組の被覆体案内装置は、ローラー付き案内具を、水平方向最上部の骨組に、第１掛け止めフックの下側向きのほぼ横倒Ｕ字形に開口した開口部で、掛け止めするとともに所定の間隔の間隔をおいて設けた傾斜した骨組に、第２掛け止めフックの逆Ｕ字形に開口した開口部で、掛け止めする。次に被覆体案内通し具のロープ通し穴に、ハウス骨組と緩めた被覆体固定用ロープとの間に予め通しておいた案内ロープを通し、その先端部を被覆体案内通し具から突出させ、この突出させた案内ロープの先端部を被覆体の先端部に結んだりなどの適宜の方法で一体化した後に案内ロープを通し具の先細先端部側に引張ることにより被覆体は案内ロープに引張られながら通し具の中空錐形の大きい方の開口部側から通し具の先細先端部側に挿入する。引続き案内ロープを動力機などの動力又は人力では引張ることにより被覆体は先細形の通し具と案内ロープとローラー付き案内具に案内されながら、重い被覆体はローラー付き案内具のローラーにより傾斜している骨組の下方に移動しないようにされながら、円滑に移動されるとともに骨組と固定用ロープとの間に容易でかつ安全で円滑に通されるし、被覆体を骨組と固定用ロープとの間に通す労力が軽減されるとともに被覆体を骨組と固定用ロープとの間に通す時間が短くなる。そして被覆体を骨組と固定用ロープとの間に通す時に被覆体は案内ロープと先細形の通し具により一定方向に引張られて案内されるために長い被覆体は表裏が逆にならないので被覆体は常に表側にして骨組と固定用ロープとの間に通される。
被覆体が骨組の他端まで到達した時点で前記と同様に案内ロープの先端部を通し具の開口部側から突出させて一体化した案内ロープと被覆体とを解いたり、止め具をはずしたりなどして分離し、ローラー付き案内具の第１掛け止めフックと第２掛け止めフックを骨組から取外してローラー付き案内具を骨組から取外す。
【０００７】
【発明の実施の形態】
ハウス骨組の被覆体案内装置の被覆体案内通し具４は図１から図３に図示したように、中空楕円錐形の先細先端部１にロープ通し穴２を有し、このロープ通し穴２と中空楕円錐形の中空部３とを連続したものである。この被覆体案内通し具４は所定の台形状に切断した合成樹脂フイルム４′の１方の斜辺に１方の仮止め具５を接着などして設けるとともに他方の斜辺に他方の仮止め具６を接着などして設けて、双方の仮止め具５，６を着脱自在に仮着して中空楕円錐形にしたものであり、ハウス骨組の被覆体案内装置のローラー付き案内具１１は図８図９に図示したように、１本の本体の上端の水平方向最上部ハウス骨組に掛け止めする下側向きのほぼ横倒Ｕ形に開口した第１掛け止めフック１２と、この本体の下端の傾斜したハウス骨組の上部上側に掛け止めする本体の前方向に突出した逆Ｕ字形に開口した第２掛け止めフック１３と、本体の下端部で第２掛け止めフック１３より上方の位置に上方向に突出して設けたローラー１４とからなるものである。
【０００８】
このハウス骨組の被覆体案内装置を構成する被覆体案内通し具４とローラー付き案内具１１でハウス骨組にビニールシートなどの被覆体を被覆する際は、図７に図示したように、ローラー付き案内具１１の第１掛け止めフック１２を、図面上の水平方向最上部の骨組９に掛け止めし、第２掛け止めフック１３を前後方向に並ぶ傾斜した骨組９に掛け止めし、図６に図示したように案内ロープ７の先端部を被覆体であるビニールシート８の先端部に結んだりなどして一体にした後に案内ロープ７を通し具４の先細先端部に引張ることによりビニールシート８は案内ロープ７に引張られながら通し具４の中空錐形の大きい方の開口部側から通し具４の先細先端部側に挿入する（図５図示）。
なお、この案内ロープ７は傾斜したハウス骨組９と緩めた固定用ロープ１０との間に予め通しておいてから、案内ロープ７の先端部とビニールシート８の先端部に結んだり、止め具で止めたりなどして一体化した方がよい。
【０００９】
このようにしてハウス骨組に、掛け止めしたローラー付き案内具１１、ビニールシート８の端部と案内ロープ７の端部とを一体化した通し具４を、使用してハウス骨組にビニールシートを被覆する際は、図７に図示したように傾斜した骨組９と固定用ロープ１０との間に予め通しておいた案内ロープ７を矢印方向に定滑車（図示せず）を介して水平方向から垂直方向に変向して動力又は人力で引張ることによりビニールシートはローラー付き案内具１１により案内されながら傾斜した骨組の最上部側に持ち上げられ、次に傾斜した骨組の最上部側に持ち上げられたビニールシートはローラー付き案内具１１のローラー１４によりローラーの回転ととともに案内されながら通し具４と案内ロープ７に案内されて傾斜した骨組９と固定用ロープ１０との間に自動的に通される。
このようにしてビニールシート８を傾斜した骨組９と固定用ロープ１０との間に自動的に通した後に、案内ロープ７を緩めてビニールシートの端部を通し具４の中から引出して案内ロープとビニールシートとを結んだ箇所を解除することによりビニールシートを骨組の上に載せる。この骨組の土に載せたビニールシートを広げて骨組の上を被覆し、緩めてあった固定用ロープ１０を締付けることによりビニールシートを下側の骨組と上側の固定用ロープとで固定してビニールハウスにする。なお、このローラー付き案内具に１方の端部から他方の端部までの本体に回転自在のローラーを水平方向に設けたものは更によい。このローラー付き案内具では水平方向に移動する被覆体である重いビニールシートなどはローラー上を円滑に移動することができる。
【００１０】
別のハウス骨組の被覆体案内通し具２４は図１０に図示のように、厚紙製中空角錐形の先細先端部２１にロープ通し穴２２を有し、このロープ通し穴２２と中空角錐形の中空部とを連続して厚紙の端部同志を接着剤で接着したものである。
なお、この被覆体案内通し具２４の形状は角錐形だけでなく、楕円錐形，円錐形などの形状でよいし、材質は厚紙だけでなく、合成樹脂フィルム，金属薄板などがよい。金属薄板の時は接着剤で接着するよりは熔接の方がよく、金属以外のものでは接着剤で接着に代えて止め具で止めてもよい。
【００１１】
更に別のハウス骨組の被覆体案内通し具３４は図１１に図示のように、金型を用いて合成樹脂で一体に成形した中空楕円錐形の先細先端部３１にロープ通し穴３２を有し、このロープ通し穴３２と中空楕円錐形の中空部とを連続したものである。
なお、この被覆体通し具３４の形状は楕円錐形だけでなく、角錐形，円錐形などの形状でよいし、材質は合成樹脂だけでなく、金属などがよい。
【００１２】
【発明の効果】
この発明のハウス骨組の被覆体案内装置は、ローラー付き案内具を水平方向最上部の骨組に第１掛け止めフックで掛け止めするとともに、傾斜した骨組に第２掛け止めフックで掛け止めし、被覆体案内通し具のロープ通し穴に、ハウス骨組と緩めた被覆体固定用ロープとの間に予め通しておいた案内ロープを通して、案内ロープの先端部と被覆体の先端部とを一体化して案内ロープを引張ることにより被覆体は先細形の通し具とローラー付き案内具と案内ロープに案内されながら、重い被覆体はローラー付き案内具のローラーとローラーの回転により傾斜している骨組の下方に移動せずに、比較的小さい力で円滑に移動することができるし、骨組と固定用ロープとの間に容易でかつ安全で円滑に通すことができるとともに被覆体をハウス骨組と固定用ロープとの間に通す労力を軽減することができる。更に被覆体をハウス骨組と固定用ロープとの間に通す時間を短かくことができるし、被覆体をハウス骨組と固定用ロープとの間に通す時に被覆体は案内ロープと先細形の通し具とローラー付き案内具のローラーにより一定方向に引張られて案内されるために長い被覆体は表裏が逆にならないので被覆体は常に表側にして骨組と固定用ロープとの間に通すことができる。
【００１３】
請求項２のハウス骨組の被覆体案内装置においては、被覆体案内通し具を使用する時以外は止め具を取外すことにより被覆体案内通し具を嵩張る錐形から平板状の薄い合成樹脂フィルムにすることができるので、保管場所の容積を小さくすることができるし、保管している時に被覆体案内通し具が変形したり、損傷したりすることが殆どないという効果がある。
【００１４】
請求項３のハウス骨組の被覆体案内装置においては、２個のローラーを有するローラー付き案内具により重い被覆体は２個のローラーの回転により傾斜している骨組の下方に移動しないとともに骨組の水平方向に更に小さい力で円滑に移動することができるし、骨組と固定用ロープとの間に容易でかつ安全で円滑に通すことができるとともに被覆体をハウス骨組と固定用ロープとの間に通す労力を軽減することができる。
【図面の簡単な説明】
【図１】本発明の被覆体案内通し具の正面図である。
【図２】同じく側面図である。
【図３】同じく断面図である。
【図４】同じく成形前の平面図である。
【図５】使用時の断面図である。
【図６】使用前の断面図である。
【図７】ハウス取付時の斜視図である。
【図８】本発明のローラー付き案内具の側面図である。
【図９】同じく正面図である。
【図１０】別の本発明の側面図である。
【図１１】更に別の本発明の側面図である。
【符号の説明】
１    先細先端部
２    ロープ通し穴
３    中空部
４    被覆体案内通し具
５    １方の仮止め具
６    他方の仮止め具
７    案内ロープ
８    ビニールシート
１１    ローラー付き案内具
１２    第１掛け止めフック
１３    第２掛け止めフック
１４    ローラー
【図１】
0003928123.tif 000002
【図２】
0003928123.tif 000003
【図３】
0003928123.tif 000004
【図４】
0003928123.tif 000005
【図５】
0003928123.tif 000006
【図６】
0003928123.tif 000007
【図７】
0003928123.tif 000008
【図８】
0003928123.tif 000009
【図９】
0003928123.tif 000010
【図１０】
0003928123.tif 000011
【図１１】
0003928123.tif 000012